(57)【要約】【課題】  本発明の課題は、形成される再利用物が利用される段階までの全体を通した取引システム及びこの取引システムに利用される取引サーバを提供することにある。【解決手段】  本発明は、処理装置と再利用物とを取得することができる。そのため、廃棄物は排出される段階から、形成される再利用物が利用される段階までの全体を通したシステムを構築することができ、処理装置及び再利用物を円滑に流通させることができる。そして、再利用物の利用率が高まり、廃棄物の削減を実現することができる。【選択図】図１
2007199776.tif 000002
【特許請求の範囲】
【請求項１】
廃棄物を処理して再利用物を形成する処理装置を取得者が取得し、取得者が取得した前記処理装置によって形成された前記再利用物を利用する利用者が前記取得者から前記再利用物を取得する取引システムであって、
前記取得者が前記処理装置を取得するための装置取得端末と、
前記利用者が前記再利用物を取得するための再利用物取得端末と、
前記装置取得端末及び前記再利用物取得端末に接続された取引サーバとを有し、
前記装置取得端末は、
前記廃棄物の情報を廃棄物情報として入力する廃棄物情報入力部と、
前記取得者が前記廃棄物から形成させたい再利用物の情報を形成希望再利用物情報として入力する形成希望再利用物入力部と、
前記廃棄物情報入力部で入力された前記廃棄物情報に基づいて前記取引サーバで抽出された前記処理装置の候補から、取得対象として前記処理装置を選択する装置選択部と、
前記装置選択部で選択された前記取得対象としての前記処理装置を設置する設置場所を含む取得者の情報を取得者情報として入力する取得者情報入力部と、
前記装置選択部で選択された前記取得対象としての前記処理装置によって形成される再利用物の情報を形成再利用物情報として入力する形成再利用物入力部とを有し、
前記再利用物取得端末は、
前記再利用物を利用する利用場所を含む前記再利用物の情報を再利用物情報として入力する再利用物情報入力部と、
前記再利用物情報入力部で入力された前記再利用物情報に基づいて前記取引サーバで抽出された前記処理装置の取得者の候補から、前記再利用物の取得先としての前記取得者を選択する取得者選択部とを有し、
前記取引サーバは、
処理可能な廃棄物の情報を前記処理装置に関連付けて装置情報として蓄積する装置蓄積部と、
前記装置取得端末の前記装置選択部で選択させるように、前記装置蓄積部に蓄積された前記装置情報から、前記装置取得端末の前記廃棄物情報入力部で入力された前記廃棄物情報、及び、前記形成希望再利用物入力部で入力された前記形成希望再利用物情報に基づいて前記処理装置の候補を抽出する装置抽出部と、
前記装置取得端末の前記装置選択部で選択された前記処理装置の情報、及び、前記形成再利用物入力部で入力された前記形成再利用物情報を前記取得者情報入力部で入力された前記取得者情報に付加して蓄積する取得者蓄積部と、
前記再利用物取得端末の前記取得者選択部で選択させるように、前記取得者蓄積部に蓄積された前記取得者情報から、前記取得者情報の設置場所と前記再利用物取得端末の前記再利用物情報入力部で入力された前記再利用物情報の利用場所とを比較した結果、及び、前記再利用物情報に基づいて前記処理装置の取得者の候補を抽出する取得者抽出部とを有することを特徴とする取引システム。
【請求項２】
前記廃棄物情報は、取得者が所有する廃棄物の所有量を含み、
前記取引サーバには、前記廃棄物情報入力部で入力された前記廃棄物の所有量に基づいて、前記装置抽出部で抽出される前記処理装置の候補毎に再利用物の形成量を算出する形成量算出部を備えることを特徴とする請求項１記載の取引システム。
【請求項３】
前記再利用物情報は、利用者が利用したい再利用物の利用量を含み、
前記取得者情報は、取得者が所有する再利用物の所有量を含み、
前記取得者抽出部は、前記利用場所から所定の範囲内の前記設置場所を有する前記取得者情報のうち、前記再利用物情報の再利用物の利用量が前記取得者情報の再利用物の所有量以下となる前記取得者情報を選別し、選別された前記取得者情報から前記処理装置の取得者の候補として抽出することを特徴とする請求項１記載の取引システム。
【請求項４】
前記取引サーバは、前記利用場所から所定の範囲内の前記設置場所を有する複数の前記取得者情報の再利用物の所有量を合計する所有量合計部を備え、
前記取得者抽出部は、前記利用場所から所定の範囲内の前記設置場所を有する前記取得者情報のうち、前記再利用物情報の再利用物の利用量が前記所有量合計部で合計された合計量以下である前記取得者情報を選別し、選別された前記取得者情報から前記処理装置の取得者の候補として抽出することを特徴とする請求項３記載の取引システム。
【請求項５】
廃棄物を処理して再利用物を形成する処理装置を取得者が取得し、取得者が取得した前記処理装置によって形成された前記再利用物を利用する利用者が前記取得者から前記再利用物を取得する取引システムに利用される取引サーバであって、
前記取得者が前記処理装置を取得するために、前記廃棄物の情報を廃棄物情報として入力して当該取引サーバに送信し、前記取得者が前記廃棄物から形成させたい再利用物の情報を形成希望再利用物情報として入力して当該取引サーバに送信し、送信した前記廃棄物情報に基づいて当該取引サーバで抽出された前記処理装置の候補から、取得対象として前記処理装置を選択し、選択した前記取得対象としての前記処理装置を設置する設置場所を含む取得者の情報を取得者情報として入力して当該取引サーバに送信し、前記装置選択部で選択された前記取得対象としての前記処理装置によって形成される再利用物の情報を形成再利用物情報として入力して当該取引サーバに送信する装置取得端末と、
前記利用者が前記再利用物を取得するために、前記再利用物を利用する利用場所を含む前記再利用物の情報を再利用物情報として入力して、当該取引サーバに送信し送信した前記再利用物情報に基づいて当該取引サーバで抽出された前記処理装置の取得者の候補から、前記再利用物の取得先としての前記取得者を選択する再利用物取得端末とに接続され、
処理可能な廃棄物の情報を前記処理装置に関連付けて装置情報として蓄積する装置蓄積部と、
前記装置蓄積部に蓄積された前記装置情報から、前記装置取得端末から送信された前記廃棄物情報、及び、前記装置取得端末から送信された前記形成希望再利用物情報に基づいて前記処理装置の候補を抽出する装置抽出部と、
前記装置取得端末で選択させるように、前記装置抽出部で抽出された前記処理装置の候補を前記装置取得端末に送信する抽出装置送信部と、
前記装置取得端末で選択された前記処理装置の情報、及び、前記装置取得端末から送信された前記形成再利用物情報を前記装置取得端末から送信された前記取得者情報に付加して蓄積する取得者蓄積部と、
前記取得者蓄積部に蓄積された前記取得者情報から、前記取得者情報の設置場所と前記再利用物取得端末から送信された前記再利用物情報の利用場所とを比較した結果、及び、前記再利用物情報に基づいて前記処理装置の取得者の候補を抽出する取得者抽出部と、
前記再利用物取得端末で選択させるように、前記取得者抽出部で抽出された前記処理装置の取得者の候補を前記再利用物取得端末に送信する抽出取得者送信部とを備えることを特徴とする取引サーバ。
【発明の詳細な説明】
【技術分野】
【０００１】
本発明は、廃棄物を処理して再利用物を形成する処理装置を取得者が取得し、取得者によって取得された処理装置で形成した再利用物を利用する利用者が取得者から前記再利用物を取得する取引システムに関し、この取引システムに利用される取引サーバに関するものである。
【背景技術】
【０００２】
物品を取引するためのシステムとしては、生産物を利用者に販売する者と、生産物を購入して利用する利用者との間で取引を成立させる生産物取引システムがあった（例えば、特許文献１参照）。このシステムでは、生産物を輸送するコストを考慮し、利用者にとって最適な生産物を販売する者の情報を提供するシステムである。
【０００３】
【特許文献１】特開２００２−２０３１３３号公報
【発明の開示】
【発明が解決しようとする課題】
【０００４】
近年、地球環境問題が表面化し、その中の１つとして廃棄物の処理の問題がある。この廃棄物削減のための１つの対策として廃棄物の再資源化が注目されている。特に、再資源化が注目されている。しかしながら、廃棄物から形成される再利用物は、流通量が少なく、コストも高いため、あまり取引されていないのが現状である。廃棄物を処理して形成される再利用物を円滑に流通させるためには、廃棄物が排出される段階から、形成される再利用物が利用される段階までの全体を通したシステムが構築されることが理想である。上述の特許文献１の取引システムでは、輸送コストが考慮されているものの、形成された生産物を取引するためだけのシステムであるため、円滑なシステムとは言い難い。
【０００５】
そこで、本発明は、上記実情に鑑み、廃棄物が排出される段階から、形成される再利用物が利用される段階までの全体を通した取引システムを提供することを目的とする。また、この取引システムに利用される取引サーバを提供することを目的とする。
【課題を解決するための手段】
【０００６】
本発明の取引システムとしては、廃棄物を処理して再利用物を形成する処理装置を取得者が取得し、取得者が取得した前記処理装置によって形成された前記再利用物を利用する利用者が前記取得者から前記再利用物を取得する取引システムであって、前記取得者が前記処理装置を取得するための装置取得端末と、前記利用者が前記再利用物を取得するための再利用物取得端末と、前記装置取得端末及び前記再利用物取得端末に接続された取引サーバとを有し、前記装置取得端末は、前記廃棄物の情報を廃棄物情報として入力する廃棄物情報入力部と、前記取得者が前記廃棄物から形成させたい再利用物の情報を形成希望再利用物情報として入力する形成希望再利用物入力部と、前記廃棄物情報入力部で入力された前記廃棄物情報に基づいて前記取引サーバで抽出された前記処理装置の候補から、取得対象として前記処理装置を選択する装置選択部と、前記装置選択部で選択された前記取得対象としての前記処理装置を設置する設置場所を含む取得者の情報を取得者情報として入力する取得者情報入力部と、前記装置選択部で選択された前記取得対象としての前記処理装置によって形成される再利用物の情報を形成再利用物情報として入力する形成再利用物入力部とを有し、前記再利用物取得端末は、前記再利用物を利用する利用場所を含む前記再利用物の情報を再利用物情報として入力する再利用物情報入力部と、前記再利用物情報入力部で入力された前記再利用物情報に基づいて前記取引サーバで抽出された前記処理装置の取得者の候補から、前記再利用物の取得先としての前記取得者を選択する取得者選択部とを有し、前記取引サーバは、処理可能な廃棄物の情報を前記処理装置に関連付けて装置情報として蓄積する装置蓄積部と、前記装置取得端末の前記装置選択部で選択させるように、前記装置蓄積部に蓄積された前記装置情報から、前記装置取得端末の前記廃棄物情報入力部で入力された前記廃棄物情報、及び、前記形成希望再利用物入力部で入力された前記形成希望再利用物情報に基づいて前記処理装置の候補を抽出する装置抽出部と、前記装置取得端末の前記装置選択部で選択された前記処理装置の情報、及び、前記形成再利用物入力部で入力された前記形成再利用物情報を前記取得者情報入力部で入力された前記取得者情報に付加して蓄積する取得者蓄積部と、前記再利用物取得端末の前記取得者選択部で選択させるように、前記取得者蓄積部に蓄積された前記取得者情報から、前記取得者情報の設置場所と前記再利用物取得端末の前記再利用物情報入力部で入力された前記再利用物情報の利用場所とを比較した結果、及び、前記再利用物情報に基づいて前記処理装置の取得者の候補を抽出する取得者抽出部とを有することを特徴とする。
【０００７】
これにより、処理装置は、取得者が排出する廃棄物に基づいて抽出される処理装置の候補から取得者に選択させることで取得できる。そして、再利用物は、処理装置を取得した取得者の情報に基づいて抽出される処理装置の取得者の候補から利用者に選択させることで取得できる。したがって、このシステムにより処理装置と再利用物とを取得できる。そのため、廃棄物は排出される段階から、形成される再利用物が利用される段階までの全体を通した取引システムとなり、処理装置及び再利用物を円滑に流通させることができる。そして、再利用物の利用率が高まり、廃棄物の削減を実現することができる。
【０００８】
本発明の取引サーバとしては、廃棄物を処理して再利用物を形成する処理装置を取得者が取得し、取得者が取得した前記処理装置によって形成された前記再利用物を利用する利用者が前記取得者から前記再利用物を取得する取引システムに利用される取引サーバであって、前記取得者が前記処理装置を取得するために、前記廃棄物の情報を廃棄物情報として入力して当該取引サーバに送信し、前記取得者が前記廃棄物から形成させたい再利用物の情報を形成希望再利用物情報として入力して当該取引サーバに送信し、送信した前記廃棄物情報に基づいて当該取引サーバで抽出された前記処理装置の候補から、取得対象として前記処理装置を選択し、選択した前記取得対象としての前記処理装置を設置する設置場所を含む取得者の情報を取得者情報として入力して当該取引サーバに送信し、前記装置選択部で選択された前記取得対象としての前記処理装置によって形成される再利用物の情報を形成再利用物情報として入力して当該取引サーバに送信する装置取得端末と、前記利用者が前記再利用物を取得するために、前記再利用物を利用する利用場所を含む前記再利用物の情報を再利用物情報として入力して当該取引サーバに送信し、送信した前記再利用物情報に基づいて当該取引サーバで抽出された前記処理装置の取得者の候補から、前記再利用物の取得先としての前記取得者を選択する再利用物取得端末とに接続され、処理可能な廃棄物の情報を前記処理装置に関連付けて装置情報として蓄積する装置蓄積部と、前記装置蓄積部に蓄積された前記装置情報から、前記装置取得端末から送信された前記廃棄物情報、及び、前記装置取得端末から送信された前記形成希望再利用物情報に基づいて前記処理装置の候補を抽出する装置抽出部と、前記装置取得端末で選択させるように、前記装置抽出部で抽出された前記処理装置の候補を前記装置取得端末に送信する抽出装置送信部と、前記装置取得端末で選択された前記処理装置の情報、及び、前記装置取得端末から送信された前記形成再利用物情報を前記装置取得端末から送信された前記取得者情報に付加して蓄積する取得者蓄積部と、前記取得者蓄積部に蓄積された前記取得者情報から、前記取得者情報の設置場所と前記再利用物取得端末から送信された前記再利用物情報の利用場所とを比較した結果、及び、前記再利用物情報に基づいて前記処理装置の取得者の候補を抽出する取得者抽出部と、前記再利用物取得端末で選択させるように、前記取得者抽出部で抽出された前記処理装置の取得者の候補を前記再利用物取得端末に送信する抽出取得者送信部とを備えることを特徴とする。
【０００９】
これにより、処理装置は、取得者が排出する廃棄物に基づいて抽出される処理装置の候補から取得者に選択させるように装置取得端末に送信する。取得者は装置取得端末でその候補から取得したい処理装置を選択することで、処理装置を取得することができる。そして、再利用物は、処理装置を取得した取得者情報に基づいて抽出される処理装置の取得者の候補から利用者に選択させるように再利用物取得端末に送信する。利用者は再利用物取得端末でその候補から取得したい再利用物を形成する処理装置の所得者を選択することで再利用物を取得することができる。したがって、この取引サーバにより処理装置を取得者に、再利用物を利用者に引き渡すシステムを構築できる。そのため、廃棄物は排出される段階から、形成される再利用物が利用される段階までの全体を通した取引システムを構築することができ、処理装置及び再利用物を円滑に流通させることができる。そして、再利用物の利用率が高まり、廃棄物の削減を実現することができる。
【発明の効果】
【００１０】
本発明の取引システムは、処理装置と再利用物とを取得することができる。そのため、廃棄物は排出される段階から、形成される再利用物が利用される段階までの全体を通した取引システムとなり、処理装置及び再利用物を円滑に流通させることができる。そして、再利用物の利用率が高まり、廃棄物の削減を実現することができる。
【００１１】
本発明の取引サーバは、処理装置を取得者に、再利用物を利用者に引き渡すシステムを構築できる。そのため、廃棄物は排出される段階から、形成される再利用物が利用される段階までの全体を通した取引システムを構築することができ、処理装置及び再利用物を円滑に流通させることができる。そして、再利用物の利用率が高まり、廃棄物の削減を実現することができる。
【発明を実施するための最良の形態】
【００１２】
［実施の形態１］
以下、本発明について図面を使用しながら詳細に説明する。図１は、本発明の取引システムの一例としてシステム全体を示す概念図である。本発明の取引システムは、パーソナルコンピュータや携帯電話や携帯情報端末機（Ｐｅｒｓｏｎａｌ  Ｄｉｇｉｔａｌ  Ａｓｓｉｓｔａｎｔ；ＰＤＡ）等といった装置取得端末４と、パーソナルコンピュータや携帯電話や携帯情報端末機（Ｐｅｒｓｏｎａｌ  Ｄｉｇｉｔａｌ  Ａｓｓｉｓｔａｎｔ；ＰＤＡ）等といった装置取得端末４及び再利用物取得端末６と、取引サーバ２とがネットワーク１を介して接続されている。
【００１３】
図２は、装置取得端末４の構成の一例を示す構成図である。装置取得端末４は、廃棄物情報入力部４１と、装置選択部４２と、取得者情報入力部４３と、形成希望再利用物入力部４４と、形成再利用物入力部４５と、インターフェース部４９と、表示部４０とを有している。
【００１４】
廃棄物情報入力部４１は、廃棄物を処理する処理装置を取得したい取得者が所有する廃棄物の情報を廃棄物情報として入力する。この廃棄物情報は、図示されないキーボードやマウス等の操作部の操作により、表示部４０に表示される所定の画面に入力される。廃棄物情報入力部４１は、この表示部４０に表示された廃棄物情報を、入力する廃棄物情報とする。
【００１５】
廃棄物情報入力部４１は、インターフェース部４９を介して、入力した廃棄物情報を取引サーバ２に送信する。この入力された廃棄物情報及び下記に説明する形成希望再利用物情報に基づいて処理装置の候補が取引サーバ２によって抽出される。
【００１６】
廃棄物情報は、取得者が後に所有する処理装置で処理したい廃棄物の情報である。この廃棄物情報は、廃棄物の種類、廃棄物の所有量が含まれている。廃棄物の種類は、廃棄物の種類名の情報である。廃棄物としては、廃棄されるものであれば特に限定されるものではないが、例えば、畜糞、生汚泥、食品残渣、生ごみ、動植物性残渣、おから、コーヒーカス、お茶葉カス、ペーパースラッジ、食品汚泥、下水汚泥、林地残材、間伐材、放置竹材、家屋解体木材、流木、枝葉、草、抜根、稲わら、もみがら、食料残材、廃タイヤ、ＲＤＦ等が挙げられる。廃棄物の所有量は、現在所有する廃棄物の重量の情報で、抽出される処理装置の候補によって形成される再利用物の重量を算出させて表示させることができる。廃棄物情報は、これらに限られるものではなく、利用形態に応じて適宜変更可能である。例えば、廃棄物の含水量、比熱、含まれる金属の種類などの情報を加えるようにしてもよい。
【００１７】
形成希望再利用物入力部４４は、取得者が形成させたい再利用物の情報を形成希望再利用物情報として入力する。この形成希望再利用物情報は、操作部の操作により、表示部４０に表示される所定の画面に入力される。形成希望再利用物入力部４４は、この表示部４０に表示された形成希望再利用物情報を、入力する形成希望再利用物情報とする。
【００１８】
形成希望再利用物入力部４４は、インターフェース４９を介して、入力した形成希望再利用物情報を取引サーバ２に送信する。この入力された形成希望再利用物情報及び上述の廃棄物情報に基づいて処理装置の候補が取引サーバ２によって抽出される。
【００１９】
形成希望再利用物情報は、取得者が所有する廃棄物から、後に所有する処理装置によって形成させたい再利用物の情報である。この再利用物としては、処理装置によって形成され、再び利用されるものであれば特に限定するものではないが、例えば、炭化物、乾燥物、破砕物、半炭化物、液化物、溶融物、液体燃料物、堆肥物、発酵物などが挙げられる。この形成希望再利用物情報には、廃棄物を処理する処理装置で形成させたい再利用物の種類の情報が含まれている。この形成希望再利用物情報は、廃棄物に基づく情報であるため、再利用物の原料でもある廃棄物の名称と形成させたい再利用物の形態を組み合わせたような情報である。廃棄物の名称と形成させたい再利用物の形態とを組み合わせたような情報としては、例えば廃棄物がペーパースラッジである場合、形成させたい再利用物の情報としては、ペーパースラッジの乾燥物やペーパースラッジの炭化物といったような情報である。
【００２０】
装置選択部４２は、廃棄物情報入力部４１で入力された廃棄物情報及び形成希望再利用物入力部４４で入力された形成希望再利用物情報に基づいて取引サーバ２で抽出された処理装置の候補から、取得対象として処理装置を選択する。装置取得端末４は、インターフェース４９を介して、廃棄物情報入力部４１で入力された廃棄物情報に基づいて取引サーバ２の下記で説明する装置抽出部２２で抽出された処理装置の候補を一覧として受信する。そして、受信した処理装置の候補の一覧は、その一覧が表示されるように、所定の形式で表示部４０に表示される。そして、装置選択部４２は、操作部が取得対象としての処理装置を選択するように操作されることで、この選んだ処理装置を選択した取得対象としての処理装置とする。
【００２１】
装置選択部４２は、インターフェース部４９を介して、選択した取得対象としての処理装置の情報を取引サーバ２に送信する。送信された処理装置の情報は、取引サーバ２に蓄積され、利用者による再利用物の取得の際に利用される。
【００２２】
取得者情報入力部４３は、装置選択部４２で選択された取得対象としての処理装置を取得する取得者の情報を取得者情報として入力する。この取得者情報は、操作部の操作により、表示部４０に表示される所定の画面に入力される。取得者情報入力部４３は、この表示部４０に表示された取得者情報を、入力する取得者情報とする。
【００２３】
取得者情報入力部４３は、インターフェース部４９を介して、入力した取得者情報を取引サーバ２に送信する。この入力された取得者情報は、取引サーバ２に送信される取得対象としての処理装置の情報及び取引サーバ２に送信される形成再利用物情報が付加される。
【００２４】
取得者情報は、取得者が選択した取得対象としての処理装置を取得するために必要な取得者の情報である。この取得者情報には、処理装置を設置する設置場所、取得者名の情報が含まれている。処理装置を設置する場所は、処理装置を納入する場所ともなり、処理装置を設置する住所であることが望ましいが、これに限定するものではなく、国名、県名、市町村名のみといったものでも、設置場所の郵便番号でもよく、設置場所をある程度特定できる情報であればよい。取得者名は、取得者の名前の情報で、取得者を特定できるものであればどのようなものであってもよい。また、処理装置で形成した再利用物を利用者に引き渡すために、電子メールのアドレスや電話番号やファクシミリ番号が含まれていてもよい。また、取得者情報はこれらに限定するものではなく、他の情報が含まれていてもよい。
【００２５】
形成再利用物入力部４５は、取得した処理装置によって形成される再利用物の情報を形成再利用物情報として入力する。この形成再利用物情報は、操作部の操作により、表示部４０に表示される所定の画面に入力される。形成再利用物入力部４５は、この表示部４０に表示された形成再利用物情報を、入力する形成再利用物情報とする。
【００２６】
形成再利用物入力部４５は、インターフェース部４９を介して、入力した形成再利用物情報を取引サーバ２に送信する。この入力された形成再利用物情報は、取引サーバ２に送信される取得対象としての処理装置の情報とともに、取得者情報入力部４３で入力された取得者情報に付加される。
【００２７】
形成再利用物情報は、取得者が選択した取得対象としての処理装置によって形成される再利用物の情報である。この形成再利用物情報には、装置選択部４２で選択した取得対象としての処理装置で形成される再利用物の種類の情報が含まれている。この形成再利用物情報は、廃棄物に基づく情報であるため、再利用物の原料でもある廃棄物の名称と形成される再利用物の形態を組み合わせたような情報である。廃棄物の名称と形成される再利用物の形態とを組み合わせたような情報としては、例えば廃棄物がペーパースラッジである場合、形成したい再利用物の種類としては、ペーパースラッジの乾燥物やペーパースラッジの炭化物といったような情報である。
【００２８】
表示部４０は、廃棄物情報、形成希望再利用物情報、取得者情報、及び、形成再利用物情報の入力時、並びに、処理装置の選択時に、所定の表示画面を表示させ、操作部を介して入力や選択が行われる。
【００２９】
インターフェース部４９は、装置取得端末４と取引サーバ２とを接続する。このインターフェース部４９は、処理装置の候補の一覧を取引サーバ２から受信する。さらに、このインターフェース部４９は、廃棄物情報入力部４１で入力された廃棄物情報、形成希望再利用物入力部４４で入力された形成希望再利用物情報、取得者情報入力部４３で入力された取得者情報、装置選択部４２で選択された取得対象としての処理装置の情報、形成再利用物入力部４５で入力された形成再利用物情報を送信する。
【００３０】
この装置取得端末４は、図示されていないＣＰＵ（Ｃｅｎｔｒａｌ  Ｐｒｏｓｅｓｓｉｎｇ  Ｕｎｉｔ）の制御のもとに、所定のプログラムを実行することにより、上述の各部材の機能を実現することができる。
【００３１】
図３は、再利用物取得端末６の構成の一例を示す構成図である。再利用物取得端末６は、再利用物情報入力部６１と、取得者選択部６２と、インターフェース部６９と、表示部６０とを有している。
【００３２】
再利用物情報入力部６１は、再利用物を利用する利用者が利用したい再利用物の情報を再利用物情報として入力する。この再利用物情報は、図示されないキーボードやマウスなどの操作部の操作により表示部６０に表示される所定の画面に入力される。再利用物情報入力部６１は、この表示部６０に表示された再利用物情報を、入力する再利用物情報とする。
【００３３】
再利用物情報入力部６１は、インターフェース部６９を介して、入力した再利用物情報を取引サーバ２に送信する。この入力された再利用物情報に基づいて処理装置の取得者の候補が取引サーバ２によって抽出される。
【００３４】
再利用物情報は、利用者が取得したい再利用物の情報である。この再利用物情報には、再利用物を利用する利用場所、利用したい再利用物の種類が含まれている。再利用物を利用する利用場所は、再利用物を納入する場所ともなり、再利用物を利用する住所であることが望ましいが、これに限定するものではなく、国名、県名、市町村名のみといったものでも、利用場所の郵便番号でもよく、利用場所をある程度特定できる情報であればよい。利用したい再利用物の種類には、例えば、炭化物、乾燥物、破砕物、半炭化物、液化物、溶融物、液体燃料物、堆肥物、発酵物といった処理装置で形成された再利用物の形態の情報が含まれるが、これらは、原料となる廃棄物の種類によって、発熱量等の性質が異なる。そのため、この再利用物の種類としては、原料となった廃棄物の名称と再利用物の形態とを組み合わせたような情報であったほうが好ましい。また、再利用物を取得者から取得するために電子メールのアドレスや電話番号やファクシミリ番号が含まれていてもよい。また、取得者情報はこれらに限定するものではなく、再利用物の含水量や比熱などの情報を含めてもよい。
【００３５】
取得者選択部６２は、再利用物情報入力部６１で入力された再利用物情報に基づいて取引サーバ２で抽出された処理装置の取得者の候補から、再利用物の取得先としての取得者を選択する。再利用物取得端末６は、インターフェース６９を介して、再利用物情報入力部６１で入力された再利用物情報に基づいて取引サーバ２の下記で説明する取得者抽出部２５で抽出された取得者の候補を一覧として受信する。そして、受信した処理装置の取得者の候補は、取得者情報が一覧表示されるように、処置の形式で表示部４０に表示される。そして、取得者選択部６２は、操作部が取得先としての取得者を選択するように操作されることで、この選んだ取得者を選択した取得先としての取得者とする。
【００３６】
取得者選択部６２は、インターフェース部６９を介して、選択した取得先としての取得者の情報を取引サーバ２に送信する。この取得者の情報を取得サーバ２が受信すると、電子メールやファクシミリといった種々の連絡手段によって、その旨が該当する取得者に通知され、取得者と利用者との間で再利用物が取引される。
【００３７】
インターフェース部６９は、再利用物取得端末６と取引サーバ２とを接続する。このインターフェース部６９は、処理装置の取得者の候補の一覧を取引サーバ２から受信する。さらに、このインターフェース部６９は、再利用物情報入力部６１で入力された再利用物情報、取得者選択部６２で選択された取得先としての処理装置の取得者の情報を送信する。
【００３８】
表示部６０は、廃棄物情報や取得者情報の入力時、及び、処理装置の選択時に、所定の表示画面を表示させ、操作部を介して入力や選択が行われる。
【００３９】
この再利用物取得端末６は、図示されていないＣＰＵ（Ｃｅｎｔｒａｌ  Ｐｒｏｓｅｓｓｉｎｇ  Ｕｎｉｔ）の制御のもとに、所定のプログラムを実行することにより、上述の各部材の機能を実現することができる。
【００４０】
図４は、取引サーバ２の構成の一例を示す構成図である。取引サーバ２は、装置蓄積部２１と、装置抽出部２２と、抽出装置送信部２３と、取得者蓄積部２４と、取得者抽出部２５と、抽出取得者送信部２６と、形成量算出部２７と、インターフェース部２９とを有している。
【００４１】
装置蓄積部２１は、処理可能な廃棄物の情報を処理装置に関連付けた装置情報が蓄積されている。この装置蓄積部２１には、図５のデータベースのように、１つの処理装置に対応する処理可能な廃棄物の種類の情報をはじめとする各情報が１つのレコードとして形成されるように蓄積されている。この装置蓄積部２１は、装置抽出部２２に参照され、装置取得端末４の廃棄物情報入力部４１によって入力された廃棄物情報及び装置取得端末４の形成希望再利用物入力部４４で入力された前記形成希望再利用物情報に基づいて、装置抽出部２２により処理装置の候補が抽出される。
【００４２】
装置情報は、処理装置の情報である。この装置情報には、処理装置の名称、処理可能な廃棄物の種類、処理可能体積又は重量、形成される再利用物の種類が含まれている。処理装置の名称は、処理装置毎に与えられた固有の名称で、一般に機種名や型番といった情報である。この処理装置の名称毎に各情報が付加されるように１つのレコードを形成し、装置蓄積部２１に蓄積されている。処理可能な廃棄物の種類は処理できる廃棄物の種類名の情報である。例えば、畜糞、生汚泥、食品残渣、生ごみ、動植物性残渣、おから、コーヒーカス、お茶葉カス、ペーパースラッジ、食品汚泥、下水汚泥、林地残材、間伐材、放置竹材、家屋解体木材、流木、枝葉、草、抜根、稲わら、もみがら、食料残材、廃タイヤ、ＲＤＦ等が挙げられる。この種類名は複数あってもよい。処理可能体積又は重量は処理することができる廃棄物の重量や体積の上限の情報である。バッチ式の装置であれば、図５のように、１回で処理できる廃棄物の重量や体積の情報となり、フロー式の装置であれば、所定時間で処理できる廃棄物の重量や体積の情報となる。形成される再利用物の種類は、原料となった廃棄物の名称と再利用物の形態とを組み合わせたような情報である。また、この装置情報には、廃棄物情報で入力された廃棄物の所有量から処理装置によって形成される再利用物の予想重量を形成量として算出することができる係数が情報として含まれている。この係数は、装置毎に定められていてもよいが、処理可能な廃棄物の種類によって定めら得ているものであってもよい。装置情報は、これらに限定されるものではなく、利用形態に応じて適宜変更可能である。例えば、廃棄物を処理できる含水量、比熱、含まれていても処理できる金属の種類等の情報を加えるようにしてもよい。
【００４３】
この装置蓄積部２１に蓄積される装置情報は、追加することができる。この装置蓄積部２１への追加は、取引サーバ２の管理者が新たに処理装置が開発されるたびに取引サーバ２に接続し、装置情報を構成する所定の事項を入力することで行われてもよい。
【００４４】
装置抽出部２２は、装置蓄積部２１に蓄積されている装置情報を参照する。そして、装置抽出部２２は、装置取得端末４の廃棄物情報入力部４１で入力された廃棄物情報の廃棄物の種類が、装置情報の処理可能な廃棄物の種類の中に含まれている装置情報を抜き出す。同時に、装置抽出部２２は、入力された形成希望再利用物情報の形成させたい再利用物の種類が、装置情報の形成される再利用物の種類の中に含まれている装置情報を抜き出す。すなわち、装置抽出部２２は、廃棄物情報の廃棄物の種類と形成希望再利用物情報の再利用物の種類との両方に適合する装置情報を抜き出す。装置抽出部２２は、このように該当する装置情報を有する処理装置を抽出する。装置抽出部２２は、抽出した処理装置を、処理装置の候補とする。
【００４５】
このとき、装置抽出部２２は、候補とした処理装置毎に、形成量算出部２７で候補とした処理装置の装置情報の係数を使って形成される再利用物の形成量を算出させる。そして、装置抽出部２２は、算出された再利用物の形成量を受け取り、対応する候補とした処理装置に算出された再利用物の形成量を関連付ける。この装置抽出部２２は、候補とした処理装置の装置情報と、関連付けた再利用物の形成量を抽出装置送信部２３に渡す。
【００４６】
形成量算出部２７は、廃棄物情報入力部４１で入力された廃棄物情報の廃棄物の所有量と、候補となった処理装置の装置情報の係数とにより、装置抽出部２２で抽出される処理装置の候補毎に形成される再利用物の形成量を算出する。形成量算出部２７は、装置抽出部２２が処理装置の候補を抽出した後、装置抽出部２２の指令に応じて再利用物の形成量の算出を行う。例えば、再利用物の形成量Ｐは、廃棄物情報の廃棄物の所有量Ｄと係数ａとの積（Ｐ＝ａ×Ｄ（式１））で算出することができる。
【００４７】
形成量算出部２７は、この再利用物の形成量を処理装置毎に算出する。算出した再利用物の形成量は、装置抽出部２２に渡される。これにより、現在所有する廃棄物の所有量から再利用物の形成量が分かるため、装置取得の際に、その形成量を参考にして取得者が現在の状況に見合う処理装置を購入することができる。
【００４８】
抽出装置送信部２３は、装置抽出部２２から候補となった処理装置の装置情報と、その装置情報に関連付けられた再利用物の形成量とを受け取る。抽出装置送信部２３は、受け取った装置情報と再利用物の形成量とから、装置取得端末４での装置の選択が容易なように、図６のような処理装置の種類に基づいて一覧が形成される。例えば、図５においてＮｏ．１からＮｏ．５のような装置情報が蓄積されている場合、廃棄物情報として廃棄物の種類が流木と廃棄物の重量１２ｋｇ、及び、形成希望再利用物情報として形成させたい再利用物の種類が流木の炭化物がそれぞれ入力されることで、図６のような一覧が形成される。形成された一覧は、インターフェース部２９を介して装置取得端末４に送信される。
【００４９】
以上のように、装置抽出部２２は、インターフェース２９を介して廃棄物情報を受け取ることで、その廃棄物情報に見合う処理装置の候補を抽出する。この装置抽出部２２による装置抽出処理について図７を用いて説明する。
【００５０】
まず、インターフェース２９を介して、装置抽出部２２は、ステップＳ７０１のように、廃棄物情報及び形成希望再利用物情報を受け取る。
【００５１】
廃棄物情報及び形成希望再利用物情報を受け取ると、装置抽出部２２は、ステップＳ７０２のように、装置情報が蓄積されている装置蓄積部２１のレコードを参照する。
【００５２】
そして、装置抽出部２２は、ステップＳ７０３のように、装置蓄積部２１に蓄積されている処理装置の装置情報の処理可能な廃棄物の種類の中に廃棄物情報の廃棄物の種類が含まれているか否かを確認する。
【００５３】
ステップＳ７０３において、含まれている場合、装置抽出部２２は、ステップＳ７０４のように、装置蓄積部２１に蓄積されている処理装置の装置情報の形成される再利用物の種類の中に形成希望再利用物情報の形成させたい再利用物の種類が含まれているか否かを確認する。
【００５４】
ステップＳ７０４において、含まれている場合、装置抽出部２２は、ステップＳ７０５のように、その装置情報を有するレコードに対応する処理装置を装置取得端末４で選択する処理装置の候補とする。
【００５５】
ステップＳ７０３、ステップＳ７０４において含まれていない場合、装置抽出部２２は、ステップＳ７０６に移行する。
【００５６】
そして、装置抽出部２２は、ステップＳ７０６のように、他に参照していないレコードがあるか否かを確認する。
【００５７】
ステップＳ７０６において、参照していないレコードがある場合、装置抽出部２２は、ステップＳ７０２に戻り、全てのレコードを参照するまでこの過程を繰り返す。
【００５８】
ステップＳ７０６において、参照していないレコードがない場合、装置抽出部２２は、ステップＳ７０７のように、候補とした処理装置の再利用物の形成量を形成量算出部２７に上述の式１で形成量を算出させる。
【００５９】
そして、装置抽出部２２は、ステップＳ７０８のように、形成量算出部２７で算出せた形成量を受け取る。
【００６０】
そして、装置抽出部２２は、ステップＳ７０９のように、候補とした処理装置に対応するように、装置情報に形成量算出部２７で算出させた形成量を関連付ける。
【００６１】
関連付けた後、装置抽出部２２は、ステップＳ７１０のように、候補とした処理装置の装置情報とその装置情報に関連付けた形成量とを抽出装置送信部２３に渡す。そして、抽出装置送信部２３は、候補とした処理装置の一覧を作成して、廃棄物情報及び形成希望再利用物情報を送信してきた装置取得端末４にその一覧を送信する。
【００６２】
装置抽出部２２は、このように装置抽出処理を行う。この装置抽出処理によって抽出され、抽出装置送信部２３に渡された装置情報は、抽出装置送信部２３で図６のような一覧が形成され、インターフェース２９を介して、装置取得端末４に送信する。このとき、抽出装置送信部２３は、装置抽出部２２で抽出することができる装置情報が無い場合、その旨を装置取得端末４に送信する。
【００６３】
取得者蓄積部２４は、処理装置を取得した取得者の情報が蓄積されている。この取得者蓄積部２４は、装置取得端末４の取得者情報入力部４３で入力された取得者情報に、装置取得端末４の装置選択部４２で選択された処理装置の装置情報及び装置取得端末４の形成再利用物入力部４５で入力された形成再利用物情報を付加するように蓄積する。この取得者蓄積部２４には、図８のデータベースのように、１人の処理装置の取得者に対応する形成される再利用物の種類の情報をはじめとする各情報が１つのレコードとして形成されるように蓄積されている。この取得者蓄積部２４は、取得者抽出部２５に参照され、再利用物取得端末６の再利用物情報入力部６１によって入力された再利用物情報に基づいて、取得者抽出部２５により取得者の候補が抽出される。
【００６４】
この取得者蓄積部２４に蓄積される取得者情報は、取得者情報入力部４３で入力された取得者情報に、形成再利用物入力部４５で入力された形成再利用物情報、及び、取得者が取得した装置蓄積部２１で蓄積された装置情報が付加された情報である。すなわち、この取得者蓄積部２４に蓄積される取得者情報には、処理装置を設置する設置場所、取得者名の情報の他に、その取得者が取得した処理装置の名称、その取得者が取得した処理装置で処理可能な廃棄物の種類、その取得者が取得した処理装置で処理可能体積又は重量、その取得者が取得した処理装置で形成される再利用物の種類が含まれている。この取得者蓄積部２４に蓄積される取得者情報は、これらに限定されるものではなく、利用形態に応じて適宜変更可能である。
【００６５】
例えば、取得者が取得者情報入力部４３で「取得者Ａ」、「東京都」を入力し、形成再利用物入力部４５で「ペーパースラッジの炭化物」を入力し、装置選択部４２で処理装置「Ａ０００００１」を取得するように選択した場合、取得者蓄積部２４には、図８のように、「取得者Ａ」や「東京都」という取得者情報に、処理装置「Ａ０００００１」及び処理装置「Ａ０００００１」に対応する装置情報の一部と、形成再利用物「ペーパースラッジの炭化物」という形成再利用物情報が付加された状態で蓄積される。
【００６６】
取得者抽出部２５は、再利用物蓄積部２４に蓄積されている取得者情報を参照する。そして、取得者抽出部２５は、再利用物取得端末６の再利用物情報入力部６１で入力された再利用物情報の再利用物の種類が、取得者蓄積部２４に蓄積された取得者情報の形成される再利用物の種類の中に含まれている取得者情報を抜き出す。さらに、取得者抽出部２５は、再利用物取得端末６の再利用物情報入力部６１で入力された再利用物の利用場所と、取得者蓄積部２４に蓄積された取得者情報の処理装置の設置場所とを比較し、利用場所に対して所定の範囲内の設置場所の取得者情報を抜き出す。この所定の範囲は予め設定され、例えば、同じ県名や市町村名を有する取得者情報を抽出するといった設定や、利用場所の住所と設置場所の住所との直線距離を計算し、利用場所から例えば１００ｋｍ以内の設置場所を抽出する設定等が挙げられる。取得者抽出部２５は、これによって該当する取得者情報を有する取得者を抽出する。取得者抽出部２５は、抽出した取得者を、取得者の候補とする。取得者抽出部２４は、候補とした取得者の取得者蓄積部２４に蓄積された取得者情報を抽出取得者送信部２６に渡す。
【００６７】
このように、利用者の再利用物の利用場所と取得者の処理装置の設置場所とを比較して取得者情報を抽出することで、利用場所に比較的近い場所で形成された再利用物を得ることができる。そのため、流通にかかるコストを下げることができ、利用者は、より安価な再利用物を取得することができる。基本的に廃棄される物である廃棄物から形成された再利用物の流通コストをさらに安価に抑えることで、さらに、再利用物を円滑に流通させることができるシステムとなる。
【００６８】
抽出取得者送信部２６は、取得者抽出部２５から候補となった取得者の取得者蓄積部２４に蓄積された取得者情報を受け取る。抽出取得者送信部２６は、受け取った取得者蓄積部２４に蓄積された取得者情報から再利用物取得端末６での取得者の選択が容易なように、図９のような取得者名に基づいて一覧が形成される。例えば、図８において、Ｎｏ．１からＮｏ．６のような取得者情報が蓄積されている場合、再利用物情報として利用場所が東京都と再利用物の種類としてペーパースラッジの炭化物が入力されることで、図９のような一覧が形成される。形成された一覧は、インターフェース部２９を介して再利用物取得端末６に送信される。
【００６９】
以上のように、取得者抽出部２５は、インターフェース２９を介して再利用物情報を受け取ることで、その再利用物情報に見合う取得者の候補を抽出する。この取得者抽出部２５による取得者抽出処理について図１０を用いて説明する。
【００７０】
まず、インターフェース２９を介して、取得者抽出部２５は、ステップＳ１０１のように、再利用物情報を受け取る。
【００７１】
再利用物情報を受け取ると、取得者抽出部２５は、ステップＳ１０２のように、取得者情報が蓄積されている取得者蓄積部２４のレコードを参照する。
【００７２】
そして、取得者抽出部２５は、ステップＳ１０３のように、取得者蓄積部２４に蓄積されている取得者情報の形成される再利用物の種類の中に再利用物情報の再利用物の種類が含まれているか否かを確認する。
【００７３】
ステップＳ１０３において、含まれている場合、取得者抽出部２５は、ステップＳ１０４のように、再利用物情報の利用場所に対して、取得者蓄積部２４に蓄積された取得者情報の設置場所が所定の範囲内にあるか否かを確認する。
【００７４】
ステップＳ１０４において、所定の範囲内にある場合、取得者抽出部２５は、ステップＳ１０５のように、その取得者蓄積部２４に蓄積された取得者情報を有するレコードに対応する取得者を再利用物取得端末６で選択する取得者の候補とする。
【００７５】
ステップＳ１０３において含まれていない場合、ステップＳ１０４において所定の範囲内にない場合、取得者抽出部２５は、ステップＳ１０６に移行する。
【００７６】
そして、取得者抽出部２５は、ステップＳ１０６のように、他に参照していないレコードがあるか否かを確認する。
【００７７】
ステップＳ１０６において、参照していないレコードがある場合、取得者抽出部２５は、ステップＳ１０２に戻り、全てのレコードを参照するまでこの過程を繰り返す。
【００７８】
ステップＳ１０６において、参照していないレコードがない場合、取得者抽出部２５は、ステップＳ１０７のように、候補とした取得者の取得者蓄積部２４に蓄積された取得者情報を抽出取得者送信部２６に渡す。そして、抽出装置送信部２３は、取得先としての取得者の一覧を作成して、再利用物情報を送信してきた再利用物取得端末６にその一覧を送信する。
【００７９】
取得者抽出部２５は、このように取得者抽出処理を行う。この取得者抽出処理によって抽出され、抽出取得者送信部２６に渡された取得者蓄積部２４に蓄積された取得者情報は、抽出取得者送信部２６で図９のような一覧が形成され、インターフェース２９を介して、再利用物取得端末６に送信する。このとき、抽出取得者送信部２６は、取得者抽出部２５で抽出することができる取得者情報が無い場合、その旨を再利用物取得端末６に送信する。
【００８０】
インターフェース部２９は、取引サーバ２と装置取得端末４とを接続し、取引サーバ２と再利用物取得端末６とを接続する。このインターフェース部２９は、装置取得端末４から廃棄物情報と取得者情報とを受信し、再利用物取得端末６から再利用物情報とを受信する。さらに、このインターフェース部２９は、装置抽出部２２で抽出された処理装置の候補を装置取得端末２に送信し、取得者抽出部２５で抽出された取得者の候補を再利用物取得端末４に送信する。
【００８１】
この取引サーバ２は、図示されていないＣＰＵ（Ｃｅｎｔｒａｌ  Ｐｒｏｓｅｓｓｉｎｇ  Ｕｎｉｔ）の制御のもとに、所定のプログラムを実行することにより、上述の各部材の機能を実現することができる。
【００８２】
以下、本発明のシステムの動作について説明する。なお、装置抽出部２２による処理装置の抽出と、取得者抽出部２５による取得者の抽出とは、上述で説明したため、それぞれを装置抽出処理、取得者抽出処理として説明を省略する。
【００８３】
本発明の取引システムは、廃棄物を処理する処理装置の取得の段階と、処理装置によって形成された再利用物の取得の段階との２つの段階がある。まず、処理装置の取得の段階について図１１を使用して説明する。
【００８４】
処理装置を取得したい取得者は、装置取得端末４が以下の動作を行うように表示部４０を確認しながら操作部を操作する。はじめに、装置取得端末４は、ステップＳ２０１のように、取引サーバ２に接続する。
【００８５】
そして、取引サーバ２と接続した装置取得端末４は、廃棄物情報を入力する所定の画面を表示させ、取得者に廃棄物情報が画面に表示させるように入力操作を行わせる。そして、装置取得端末４は、ステップＳ２０２のように、画面に表示された廃棄物情報を廃棄物情報入力部４１によって入力させる。さらに、装置取得端末４は、形成希望再利用物情報を入力する所定の画面を表示させ、取得者に形成希望再利用物情報が画面に表示させるように入力操作を行わせる。そして、装置取得端末４は、ステップＳ２１３のように、画面に表示された形成希望再利用物情報を形成希望再利用物入力部４４によって入力させる。装置取得端末４は、ステップＳ２１４のように、インターフェース４９を介して、入力させた廃棄物情報及び形成希望再利用物情報を取引サーバ２に送信する。
【００８６】
廃棄物情報を受信した取引サーバ２は、廃棄物情報入力部４１によって入力された廃棄物情報に基づいて、ステップＳ２０３のように、装置抽出部２２に装置抽出処理を行わせる。
【００８７】
そして、取引サーバ２は、ステップＳ２０４のように、入力された廃棄物情報に基づいて抽出できる処理装置の候補があるか否かを確認する。
【００８８】
ステップ２０４において、処理装置の候補がある場合、取引サーバ２は、ステップＳ２０５のように、廃棄物情報を送信した廃棄物取得端末４に抽出装置送信部２３で形成した処理装置の候補の一覧を送信する。
【００８９】
装置取得端末４は、インターフェース４９を介して受信した処理装置の候補の一覧を受信すると、ステップＳ２０６のように、表示部４０にその一覧を表示させる。
【００９０】
処理装置の候補一覧を表示させた後、装置取得端末４は、ステップＳ２０７のように、取得者の操作に応じて装置選択部４２に取得対象としての処理装置を選択させる。
【００９１】
処理装置を選択させた後、装置取得端末４は、取得者情報を入力する所定の画面を表示させ、取得者に取得者情報が画面に表示させるように入力操作を行わせる。そして、装置取得端末４は、ステップＳ２０８のように、画面に表示された取得者情報を取得者情報入力部４３によって入力させる。さらに、装置取得端末４は、形成再利用物情報を入力する所定の画面を表示させ、取得者に形成再利用物情報が画面に表示されるように入力操作を行わせる。そして、装置取得端末４は、ステップＳ２１５のように、画面に表示された形成再利用物情報を形成再利用物入力部４５によって入力させる。装置取得端末４は、ステップＳ２０９のように、インターフェース４９を介して、選択させた取得対象としての処理装置の情報と、入力させた取得者情報及び形成再利用物情報とを取引サーバ２に送信する。
【００９２】
そして、取引サーバ２は、ステップＳ２１０のように、受信した取得者情報に選択した取得対象としての処理装置の情報と形成再利用物情報を付加して取得者蓄積部２４に蓄積させ、この処理を終了する。
【００９３】
ステップＳ２０４において、処理装置の候補がない場合、取引サーバ２は、ステップＳ２１１に移行し、抽出できる処理装置の候補がない旨の通知を装置取得端末４に送信する。
【００９４】
抽出できる処理装置の候補がない旨の通知を受信した装置取得端末４は、表示部４０に抽出できる処理装置の候補がない旨を表示させ、この処理を終了する。
【００９５】
そして、装置取得端末４で選択された処理装置の情報は、取得者情報とともに取引サーバ２の処理装置の扱う者に送られ、取得者に該当する処理装置を引き渡すことができる。
【００９６】
このように、装置取得端末４で廃棄物情報を入力することで、入力した廃棄物情報に基づいた処理装置の候補が抽出され、その処理装置の候補の中から所望の装置を選択し、取得者情報を入力することで処理装置を取得することができる。
【００９７】
次に、再利用物の取得の段階について図１２を使用して説明する。
【００９８】
再利用物を取得したい利用者は、再利用物取得端末６が以下の動作を行うように表示部６０を確認しながら操作部を操作する。はじめに、再利用物取得端末６は、ステップＳ３０１のように、取引サーバ２に接続する。
【００９９】
そして、取引サーバ２と接続した再利用物取得端末６は、再利用物情報を入力する所定の画面を表示させ、利用者に再利用物情報が画面に表示させるように入力操作を行わせる。そして、再利用物取得端末６は、ステップＳ３０２のように、画面に表示された再利用物情報を再利用物情報入力部６１によって入力させる。装置取得端末４は、ステップＳ３１２のように、インターフェース６９を介して、入力させた再利用物情報を取引サーバ２に送信する。
【０１００】
再利用物情報を受信した取引サーバ６は、再利用物情報入力部６１によって入力された再利用物情報に基づいて、ステップＳ３０３のように、取得者抽出部２５に取得者抽出処理を行わせる。
【０１０１】
そして、取引サーバ２は、ステップＳ３０４のように、入力された再利用物情報に基づいて抽出できる処理装置の取得者の候補があるか否かを確認する。
【０１０２】
ステップ３０４において、取得者の候補がある場合、取引サーバ２は、ステップＳ３０５のように、再利用物情報を送信した再利用物取得端末６に抽出取得者送信部２６で形成した取得者の候補の一覧を送信する。
【０１０３】
再利用物取得端末６は、インターフェース６９を介して受信した取得者の候補の一覧を受信すると、ステップＳ３０６のように、表示部６０にその一覧を表示させる。
【０１０４】
取得者の候補一覧を表示させた後、再利用物取得端末６は、ステップＳ３０７のように、利用者の操作に応じて取得者選択部６２に再利用物の取得先としての取得者を選択させる。
【０１０５】
処理装置を選択させた後、再利用物取得端末６は、ステップＳ３０８のように、インターフェース６９を介して選択した取得先としての取得者の情報を取引サーバ２に送信する。
【０１０６】
そして、取引サーバ２は、ステップＳ３０９のように、受信した取得先としての取得者に再利用物を取得したい利用者がいる旨の通知を行うように連絡し、この処理を終了する。
【０１０７】
ステップＳ３０４において、取得者の候補がない場合、取引サーバ２は、ステップＳ３１０に移行し、抽出できる取得者の候補がない旨の通知を再利用物取得端末６に送信する。
【０１０８】
抽出できる取得者の候補がない旨の通知を受信した再利用物取得端末６は、表示部６０に抽出できる処理装置の候補がない旨を表示させ、この処理を終了する。
【０１０９】
そして、再利用物取得端末６で取得者を選択した利用者は、選択された取得者との間で再利用物を取引することができる。
【０１１０】
このように、再利用物取得端末６で再利用情報を入力することで、入力した再利用情報に基づいた処理装置の取得者の候補が抽出され、その取得者の候補の中から所望の取得者を選択することで再利用物を取得するための取引が可能となる。
【０１１１】
これにより、処理装置は、取得者が排出する廃棄物に基づいて抽出される処理装置の候補から取得者に選択させることで取得できる。そして、再利用物は、処理装置を取得した取得者の情報に基づいて抽出される処理装置の取得者の候補から利用者に選択させることで取得できる。したがって、このシステムにより処理装置と再利用物とを取得できる。そのため、廃棄物は排出される段階から、形成される再利用物が利用される段階までの全体を通した取引システムとなり、処理装置及び再利用物を円滑に流通させることができる。そして、再利用物の利用率が高まり、廃棄物の削減を実現することができる。
【０１１２】
本発明の取引システムは、上述のものに限られるものではない。例えば、装置抽出処理において、処理装置を抽出する要素は、廃棄物の種類と、形成させたい再利用物の種類だけではない。廃棄物中には、水や金属が含まれていることがある。そのため、装置情報として、例えば処理可能な含水率の範囲や処理可能な含金属の種類等の情報を備え、さらに、廃棄物情報として、廃棄物中の含水率や含金属の種類等の情報を求めるようにしてもよい。この場合、この含水率と含金属の種類も処理装置を抽出する要素としてもよい。これにより、より的確な処理装置を抽出することができる。そして、取得者は、より的確な処理装置を取得できる。そして、より柔軟な取引システムとなり、円滑な処理装置の取引を提供することができる。
【０１１３】
含水率や含金属の種類によっては、単独の処理装置では処理不可能であっても、廃棄物を乾燥させたり、脱金属させたりする前処理装置がある場合、この前処理装置を抽出させるようにしてもよい。この場合、まず、装置情報と同様の前処理装置の情報を取引サーバ２に蓄積しておき、装置取得端末４には、含水率や含金属の種類を入力させる。そして、装置抽出部２５と同様に、前処理可能な前処理装置の候補を抽出するようにしてもよい。このとき、前処理された廃棄物に対して、処理する処理装置の候補を装置抽出部２５で抽出してもよい。これにより、取得者は、より的確な処理装置及び前処理装置を取得することができる。そして、より柔軟な取引システムとなり、円滑な処理装置の取引を提供することができる。
【０１１４】
また、本発明の取引システムは、例えば、取得者抽出処理において、利用者が利用したい再利用物があっても利用場所に対して所定の範囲内に設置場所がない場合、利用者はその所定の範囲を変更するようにしてもよい。例えば図１２のステップＳ３０４によって取得者の候補がない場合、ステップＳ３１１の取得者の候補がない旨を表示部６０に表示した後、その表示部６０に上述の所定の範囲を変更することができる所定の画面を表示させ、利用者が操作部を介して所定の範囲を変更し、変更した範囲の情報を取引サーバ２に送信する。変更した範囲の情報を受信した取引サーバ２は、ステップＳ３０３に戻って再び取得者抽出処理を取得者抽出部６２に行わせる。これにより、利用者の要望に応じた再利用物を所有する取得者の候補の抽出が行え、柔軟な取引システムとなり、円滑な再利用物の取引を提供することができる。
【０１１５】
［実施の形態２］
実施の形態２で説明する取引システム及び取引サーバは、実施の形態１で説明した取引システム及び取引サーバでの取得者の抽出において、再利用物の利用量及び再利用物の形成量とに基づいて、取得者を選別するものである。以下、実施の形態２の取引システム及び取引サーバについて説明するが、実施の形態１での説明と重複する部分については説明を省略する。
【０１１６】
まず、再利用物情報には、上述で説明した再利用物を利用する利用場所等の他に、利用者が利用したい再利用物の利用量が含まれている。この再利用物の利用量は、再利用物情報入力部６１によって、他の項目と一緒に入力される。
【０１１７】
また、選択された処理装置の装置情報と形成再利用物情報が付加された取得者情報には、上述で説明した処理装置を設置する設置場所等の他に、取得者が所有する再利用物の所有量が含まされている。この再利用物の所有量は、形成再利用物入力部４５によって、形成される再利用物の種類とともに入力される。そして、入力された再利用物の所有量は、取得者情報に付加され、取得者蓄積部２４に蓄積される。そして、再利用物の所有量は、取得者が適宜更新するようにしてもよい。
【０１１８】
この場合、取得者抽出部２５では、利用場所に対して設置場所が所定の範囲内にある取得者の候補のうち、再利用物情報の利用者が利用したい再利用物の利用量が取得者情報の取得者が所有する再利用物の所有量以下となる取得者情報を選別する。そして、選別された取得者情報に対応する取得者を候補とする。
【０１１９】
すなわち、図１０で説明した取得者抽出処理において、ステップＳ１０４で再利用物情報の利用場所に対して取得者情報の設置場所が所定の範囲内か否かを確認した後、再利用物情報の再利用物の利用量が取得者情報の再利用物の所有量以下となるか否かを確認するステップを設ける。そして、このステップで再利用物の利用量が再利用物の所有量以下となる取得者を候補とする。そして、再利用物の利用量が再利用物の所有量より大きい場合、ステップＳ１０６に移行するようにする。
【０１２０】
これにより、利用者が利用したい量を所有しない取得者は候補とならないため、取得者の選択が容易となる。そして、より円滑な再利用物の取引を提供することができる。
【０１２１】
また、再利用物の所有量においては、処理装置を取得する際に形成量算出部２７で算出した形成量を再利用物の所有量としてもよい。
【０１２２】
一般に、廃棄物は略一定の量が排出されることが多いため、処理装置を取得する際に算出された再利用物の形成量は、定期的に形成される再利用物の量と考えることができる。そのため、処理装置を取得した取得者は、処理装置を取得する際に入力した所有する廃棄物の量に対応する再利用物の形成量を有していると予想できる。この予想の再利用物の形成量を再利用物の所有量とすることで、入力の手間を省くことができる。
【０１２３】
［実施の形態３］
実施の形態３で説明する取引システム及び取引サーバは、実施の形態２で説明した取引サーバ２に、所有量合計部２８を備えたものである。以下、所有量合計部２８を備えた実施の形態３の取引システム及び取引サーバについて説明するが、実施の形態１での説明と重複する部分については説明を省略する。
【０１２４】
所有量合計部２８は、再利用物情報として入力された利用場所から所定の範囲内の設置場所を有する複数の取得者情報の再利用物の所有量を合計する。すなわち、所有量合計部２８は、利用者が入力した再利用物情報の利用場所から所定の範囲内の設置場所に処理装置を設置した取得者が複数存在する場合、その複数の取得者が所有する再利用物の所有量を合計した合計量を算出することができる。この所有量合計部２８での再利用物の所有量の合計は、必ず行われるものではなく、利用者が利用したい利用量よりも、所定の範囲内に設置場所を有する１つの取得者の所有する再利用物の所有量が少ない場合に行われる。
【０１２５】
この場合、所有量合計部２８は、図１０の全てのレコードを参照した後、取得者の候補がない場合、利用場所に対して設置場所が所定の範囲以内であった取得者全ての再利用物の所有量を合計する。合計した再利用物の所有量と、再利用物の利用量とを比較し、再利用物の利用量が合計された再利用物の所有量以下であるか否かを確認する。確認した結果、再利用物の利用量が合計された再利用物の所有量以下である場合、合計した所有量にかかわる取得者全てを取得者の候補とする。この取得者の候補は、抽出取得者送信部２６に渡される。抽出取得者送信部２６は、取得者の候補の一覧とともに利用量が合計した所有量以下であった旨の通知を再利用物取得端末６に送信する。
【０１２６】
このとき、再利用物取得端末６は、その取得者の候補とともに利用量が合計した所有量以下であった旨の通知を受信すると、表示部６０にその旨を表示させる。同時に、表示部６０は、表示される取得者の候補の一覧の中に各取得者の再利用物の所有量を表示する。
【０１２７】
利用者は、操作部を介して、この取得者の候補の一覧から複数の取得者を選択することで利用したい量の再利用物を取得するように、取得者と再利用物の取引を行うことができる。これにより、１つの取得者で再利用物が不足していたとしても、複数の取得者から再利用物を取得することで、利用者が望む量の再利用物を取得することができる。そして、より円滑な再利用物の取引を提供することができる。
【０１２８】
なお、再利用物の利用量が合計された再利用物の所有量より大きい場合、上述のように、抽出できる取得者の候補がいない旨を再利用物取得端末６に送信する。
【０１２９】
以上のように、本発明の取引システム及び取引サーバは、処理装置と再利用物とを取得することができる。そのため、廃棄物は排出される段階から、形成される再利用物が利用される段階までの全体を通したシステムを構築することができ、処理装置及び再利用物を円滑に流通させることができる。そして、再利用物の利用率が高まり、廃棄物の削減を実現することができる。
【図面の簡単な説明】
【０１３０】
【図１】本発明の取引システムのシステム全体を示す概念図である。
【図２】本発明の取引システムの装置取得端末の構成を示すブロック図である。
【図３】本発明の取引システムの再利用物取得端末の構成を示すブロック図である。
【図４】本発明の取引システムの取引サーバの構成を示すブロック図である。
【図５】本発明の取引システムの装置蓄積部に蓄積されるデータベースとなっている装置情報を示す図である。
【図６】本発明の取引システムの装置取得端末に表示される処理装置の候補の一覧を示す図である。
【図７】本発明の取引システムの装置抽出部での装置抽出処理の流れを示すフロー図である。
【図８】本発明の取引システムの取得者蓄積部に蓄積されるデータベースとなっている取得者情報を示す図である。
【図９】本発明の取引システムの再利用物取得端末に表示される取得者の候補の一覧を示す図である。
【図１０】本発明の取引システムの取得者抽出部での取得者抽出処理の流れを示すフロー図である。
【図１１】本発明の取引システムの処理装置を取得する段階の流れを示すフロー図である。
【図１２】本発明の取引システムの再利用物を取得する段階の流れを示すフロー図である。
【図１３】本発明の取引システムの取引サーバの別の構成を示すブロック図である。
【符号の説明】
【０１３１】
１  ネットワーク
２  取引サーバ
４  装置取得端末
６  再利用物取得端末
【図１】
2007199776.tif 000003
【図２】
2007199776.tif 000004
【図３】
2007199776.tif 000005
【図４】
2007199776.tif 000006
【図５】
2007199776.tif 000007
【図６】
2007199776.tif 000008
【図７】
2007199776.tif 000009
【図８】
2007199776.tif 000010
【図９】
2007199776.tif 000011
【図１０】
2007199776.tif 000012
【図１１】
2007199776.tif 000013
【図１２】
2007199776.tif 000014
【図１３】
2007199776.tif 000015